(57)【特許請求の範囲】
【請求項１】
スライダガイド部が形成されており端子が設けられているハウジングを備え、相手側コネクタが嵌合されるコネクタと、
前記相手側コネクタに係合しつつ、前記スライダガイド部でガイドされ移動することで、前記相手側コネクタを前記コネクタに嵌合させるスライダと、
前記スライダに設けられた第１の被当接部と、
前記スライダに設けられた第２の被当接部と、
前記コネクタに設けられ、第１の被当接部に当接することで、前記スライダの位置決めをする第１の当接部と、
前記コネクタに設けられ、第２の被当接部に当接することで、前記第１の被当接部の前記第１の当接部への当接を補助する第２の当接部と、
を有し、前記ハウジングは、ハウジング本体部と、薄い平板状に形成され前記ハウジング本体部との間に間隔が形成されるようにして前記ハウジング本体部に設けられているスライダガイド部形成部とを備えて構成されており、
前記スライダガイド部は、前記ハウジング本体部と前記スライダガイド部形成部との間の空間に形成されており、
前記第１の当接部は、前記スライダガイド部形成部に設けられており、
前記第２の当接部は、前記ハウジング本体部に設けられており、
前記第２の被当接部が前記第２の当接部に当接することで、前記スライダが前記スライダガイド部形成部側に押され、前記第１の被当接部の前記第１の当接部への当接を補助するように構成されており、
前記第１の被当接部は、前記スライダの厚さ方向の一方の面に形成されていて長手方向の一方の端部が開口し長手方向の他方の端部が止まっている細長い凹部で構成されており、
前記第２の被当接部は、前記スライダの厚さ方向の他の面の、前記細長い凹部の反対側に位置する部位で構成されており、
前記第１の当接部は、前記細長い凹部に入り込み前記細長い凹部の他方の端部に当接する突起で構成されており、
前記第２の当接部は、前記スライダの厚さ方向の他の面の、前記細長い凹部の反対側に位置する部位に当接する突起で構成されていることを特徴とするコネクタユニット。
【発明の詳細な説明】
【技術分野】
【０００１】
本発明は、コネクタユニットに係り、特に、相手側コネクタに嵌合するためのスライダが設けられているものに関する。
【背景技術】
【０００２】
従来、図１１で示すようなレバー式コネクタ３０１が知られている（たとえば、特許文献１参照）。
【０００３】
レバー式コネクタ３０１は、コンタクト収容孔を有するハウジング３０３と、ハウジング３０３内に収容され、ハウジング３０３内を移動させることが可能なスライダ３０５と、嵌合開始位置と嵌合完了位置との間で回転させることが可能なレバー（図示せず）とを備えている。
【０００４】
レバー式コネクタ３０１では、レバーを嵌合完了位置に配置させることによって、スライダ３０５が嵌合位置に配置されて、相手コネクタとの嵌合が完了する。レバー式コネクタ３０１では、ハウジング３０３の前面に、スライダ３０５が嵌合位置に配置されているときにのみカム溝３０７と連通する検査孔３０９が設けられている。
【０００５】
そして、ハウジング３０３内におけるスライダ３０５の位置ずれを検知することが可能なようになっている。
【先行技術文献】
【特許文献】
【０００６】
【特許文献１】特開２００９―２４５６１０号公報
【発明の概要】
【発明が解決しようとする課題】
【０００７】
ところで、レバー式コネクタ３０１では、スライダ３０５の位置出しに、ハウジング３０３に検査孔３０９を設けて工具の検知ピン３１１を検査孔３０９に挿入しているので、別途工具が必要になってしまう。
【０００８】
そこで、ハウジング３５１に突起３５３を設け、この突起３５３にスライダ３５５の所定の部位３５７を当接させることで、ハウジング３５１に対するスライダ３５５の位置決めをする構成が考えられる（図１０参照）。
【０００９】
しかし、上記構成では、ハウジング３５１の小型化に伴う薄肉化等によってハウジング３５１の剛性が低下し、スライダ３５５の位置決めをするときに突起３５３が設けられている部位が撓んでしまい（２点鎖線参照）、上記当接がなされず、ハウジング３５１に対するスライダ３５５の位置決め（位置の検出）が確実にできない場合があるという問題がある。
【００１０】
本発明は、上記問題点に鑑みてなされたものであり、スライダを用いることで、コネクタを相手側コネククタに嵌合させるコネクタユニットにおいて、コネクタに対するスライダの位置決めを確実にすることができるコネクタユニットを提供することを目的とする。
【課題を解決するための手段】
【００１１】
請求項１に記載の発明は、スライダガイド部が形成されており端子が設けられているハウジングを備え、相手側コネクタが嵌合されるコネクタと、前記相手側コネクタに係合しつつ、前記スライダガイド部でガイドされ移動することで、前記相手側コネクタを前記コネクタに嵌合させるスライダと、前記スライダに設けられた第１の被当接部と、前記スライダに設けられた第２の被当接部と、前記コネクタに設けられ、第１の被当接部に当接することで、前記スライダの位置決めをする第１の当接部と前記コネクタに設けられ、第２の被当接部に当接することで、前記第１の被当接部の前記第１の当接部への当接を補助する第２の当接部とを有し、前記ハウジングは、ハウジング本体部と、薄い平板状に形成され前記ハウジング本体部との間に間隔が形成されるようにして前記ハウジング本体部に設けられているスライダガイド部形成部とを備えて構成されており、前記スライダガイド部は、前記ハウジング本体部と前記スライダガイド部形成部との間の空間に形成されており、前記第１の当接部は、前記スライダガイド部形成部に設けられており、前記第２の当接部は、前記ハウジング本体部に設けられており、前記第２の被当接部が前記第２の当接部に当接することで、前記スライダが前記スライダガイド部形成部側に押され、前記第１の被当接部の前記第１の当接部への当接を補助するように構成されており、前記第１の被当接部は、前記スライダの厚さ方向の一方の面に形成されていて長手方向の一方の端部が開口し長手方向の他方の端部が止まっている細長い凹部で構成されており、前記第２の被当接部は、前記スライダの厚さ方向の他の面の、前記細長い凹部の反対側に位置する部位で構成されており、前記第１の当接部は、前記細長い凹部に入り込み前記細長い凹部の他方の端部に当接する突起で構成されており、前記第２の当接部は、前記スライダの厚さ方向の他の面の、前記細長い凹部の反対側に位置する部位に当接する突起で構成されているコネクタユニットである。
【発明の効果】
【００１４】
本発明によれば、スライダを用いることで、コネクタを相手側コネククタに嵌合させるコネクタユニットにおいて、コネクタに対するスライダの位置決めを確実にすることができるものを提供することができるという効果を奏する。
【図面の簡単な説明】
【００１５】
【図１】本発明の実施形態に係るコネクタユニットとこのコネクタユニットのメス端子に嵌合されるオスコネクタとの概略構成を示す斜視図である。
【図２】本発明の実施形態に係るコネクタユニットとこのコネクタユニットのメス端子に嵌合されるオスコネクタとの概略構成を示す断面図である。
【図３】本発明の実施形態に係るコネクタユニットの平面図である。
【図４】本発明の実施形態に係るコネクタユニットのスライダの斜視図である。
【図５】本発明の実施形態に係るコネクタユニットのスライダの正面図（ａ）と側面図（ｂ）である。
【図６】本発明の実施形態に係るコネクタユニットのメスコネクタの断面図である。
【図７】本発明の実施形態に係るコネクタユニットの斜視図であって、被当接部と当接部とを明らかに示すために、スタイダの一部を断面とした図である。
【図８】メスコネクタに設けられている当接部の拡大図である。
【図９】図７におけるＩＸ部の拡大図である。
【図１０】図９において、第２の当接部を除去した参考例を示す図である。
【図１１】従来のレバー式コネクタを示す図である。
【発明を実施するための形態】
【００１６】
本発明の実施形態に係るコネクタユニット（たとえば、メスコネクタユニット）１は、図１〜図３等で示すように、コネクタ（たとえばメスコネクタ）３とスライダ５とを備えて構成されている。
【００１７】
メスコネクタ３は、ハウジング（メスコネクタハウジング）７を備えており、ハウジング７には、スライダガイド部９が形成されているとともに端子（たとえばメス端子）１１が設けられている。また、メスコネクタ３には、相手側コネクタ（たとえばオスコネクタ）１３が嵌合される（接続される）ようになっている。
【００１８】
メスコネクタハウジング７は、合成樹脂等の絶縁体で構成されており、ハウジング本体部１５とスライダガイド部形成部１７とを備えて一体成形されている。ハウジング本体部１５は、たとえば直方体状に形成されている中央部１９と、この中央部１９が内側に入るように囲んでいる外側部２１とを備えて構成されており、メス端子１１は中央部１９に設けられている。なお、ハウジング本体部１５の外形は、たとえば、直方体状になっている。
【００１９】
スライダガイド部形成部１７は、たとえば矩形な板状に形成されており、ハウジング本体部１５の外側でハウジング本体部１５の側壁からたとえば僅かな間隔をあけてハウジング本体部１５に一体で設けられており、ハウジング本体部１５の側壁に対向している。
【００２０】
これにより、ハウジング本体部１５とスライダガイド部形成部１７との間には、たとえば矩形な平板状の間隙が形成されており、この平板状の間隙がスライダガイド部９を形成している。
【００２１】
オスコネクタ１３もハウジング（オスコネクタハウジング）２３とこのハウジング２３に設けられたオス端子２５とを備えている。オスコネクタ１３のハウジング２３も、合成樹脂等の絶縁体で構成されている。また、オスコネクタ１３のハウジング２３は、たとえば矩形な筒状部（フード部）２７と平板状の底板部２９とを備えて矩形な枡状に一体成形されている。オス端子２５は底板部２９に設けられている。
【００２２】
そして、メスコネクタ３がオスコネクタ１３に嵌合されるとき、オスコネクタ１３のハウジング２３の筒状部２７にメスコネクタ３の中央部１９が入り込むようにして嵌合がなされ、メス端子１１とオス端子２５とがお互いに接続されて導通するようになっている。
【００２３】
スライダ５は、オスコネクタ１３に係合しつつ、スライダガイド部９内に入ることでスライダガイド部９に係合してスライダガイド部９でガイドされメスコネクタ３に対して所定の方向に直線的に移動するようになっている。この移動をすることで、オスコネクタ１３をコネクタ３に嵌合させるようになっている。
【００２４】
スライダ５を使用することで、オスコネクタ１３とメスコネクタ３との嵌合に要する力を小さくすることができるようになっている。
【００２５】
スライダ５には、図４、図５等で示すように、第１の被当接部３１と第２の被当接部３３とが設けられている。なお、スライダ５も合成樹脂等の絶縁体で構成され一体成形されている。
【００２６】
コネクタ３（たとえばスライダガイド部９）には、第１の当接部３５と第２の当接部３７とが設けられている。
【００２７】
第１の当接部３５がスライダ５の第１の被当接部３１に当接することで、スライダガイド部９でガイドされているスライダ５の位置決め（メスコネクタ３に対する位置決め）がなされるようになっている。
【００２８】
また、第１の被当接部３１が第１の当接部３５に当接するときに、第２の当接部３７がスライダ５の第２の被当接部３３に当接することで、第１の被当接部３１を第１の当接部３５側へ付勢して僅かに移動させ、第１の被当接部３１の第１の当接部３５への当接を補助するようになっている（図９参照）。
【００２９】
スライダガイド部９でガイドされているスライダ５が所定の一方の方向に移動することで、第１の被当接部３１が第１の当接部３５に当接し、メスコネクタ３に対するスライダ５の上記位置決めがされるようになっている。この位置決めがされている状態で、メスコネクタ３とオスコネクタ１３とが嵌合準備状態になる（図２参照）。すなわち、オスコネクタ１３がスライダ５に係合可能な状態になる。
【００３０】
嵌合準備状態において、スライダガイド部９でガイドされオスコネクタ１３に係合しているスライダ５が所定の他方の方向（第１の被当接部３１が第１の当接部３５から離れる方向）に移動することで、スライダ５を介してオスコネクタ１３がメスコネクタ３に嵌合されるようになっている。すなわち、スライダ５をメスコネクタ３に対して相対的に移動することで、スライダ５に係合しているオスコネクタ１３がメスコネクタ３に対して相対的に接近する方向に移動し、オスコネクタ１３がメスコネクタ３に嵌合されるようになっている。
【００３１】
メスコネクタハウジング７は、前述したように、ハウジング本体部１５とスライダガイド部形成部１７とを備えて構成されている。スライダガイド部形成部１７は、薄い平板状に形成されており、ハウジング本体部１５との間に僅かな間隔が形成されるようにしてハウジング本体部１５に設けられている。
【００３２】
また、スライダガイド部９は、ハウジング本体部１５とスライダガイド部形成部１７との間の空間（平板状の間隙）で形成されている。
【００３３】
ハウジング本体部１５とスライダガイド部形成部１７とはこれらの端部に設けられた連結部３９（図６等参照）によってお互いがつながっている。平板状のスライダガイド部形成部１７の厚さ方向の両面と、平板状のスライダガイド部形成部１７に面しているハウジング本体部１５の平面状の側面とはお互いが平行になっている。なお、当然のことであるが、スライダ５をガイドする平板状のスライダガイド部９の厚さ方向の一方の面は、平板状のスライダガイド部形成部１７の厚さ方向の一方の面（ハウジング本体部１５側の面）で構成されており、スライダ５をガイドする平板状のスライダガイド部９の厚さ方向の他方の面は、平板状のスライダガイド部形成部１７に面しているハウジング本体部１５の平面状の側面で構成されている。
【００３４】
第１の当接部３５は、図７、図８等で示すように、スライダガイド部形成部１７のスライダガイド部９側の部位に設けられており、第２の当接部３７は、ハウジング本体部１５のスライダガイド部９側の部位に設けられている。
【００３５】
そして、第２の被当接部３３が第２の当接部３７に当接することで、スライダ５がスライダガイド部形成部１７側に押され、第１の被当接部３１の第１の当接部３５への当接を補助するように構成されている（図９参照）。
【００３６】
スライダ５は、厚さが平板状のスライダガイド部９の厚さとほぼ等しい平板状に形成されており、平板状のスライダ５は、平板状のスライダガイド部９に入り込んで、ガイドされるようになっている。
【００３７】
第１の被当接部３１は、図４等で示すように、スライダ５の厚さ方向の一方の面に形成されており、スライダガイド部９でガイドされているスライダ５の移動方向に伸び長手方向の一方の端部が開口し長手方向の他方の端部４３が止まっている細長い凹部４１（他方の端部４３）で構成されている。
【００３８】
第２の被当接部３３は、スライダ５の厚さ方向の他の面の、細長い凹部４１の反対側に位置する部位４５で構成されている。
【００３９】
第１の当接部３５は、図８、図９等で示すように、スライダガイド部形成部１７に一体で設けられていて細長い凹部４１に入り込み細長い凹部４１の他方の端部４３に当接する突起（凸部）４７で構成されている。
【００４０】
第２の当接部３７は、ハウジング本体部１５に一体で設けられていてスライダ５の厚さ方向の他の面の、細長い凹部４１の反対側に位置する部位４５に当接する突起４９で構成されている。
【００４１】
ここで、コネクタユニット１やオスコネクタ１３についてさらに詳しく説明する。
【００４２】
説明の便宜のために、所定の一方向を縦方向とし、この縦方向に対して直交する所定の一方向を横方向とし、縦方向と横方向とに対して直交する方向を高さ方向とする。
【００４３】
オスコネクタ１３のオスコネクタハウジング２３のフード部２７は、図１等で示すように、矩形な筒状に形成されており、一方の開口部が平板状の底板部２９でふさがれている。オス端子２５は、縦方向および横方向で所定の間隔をあけて底板部２９に複数設けられている。
【００４４】
オスコネクタハウジング２３のフード部２７には、背の低い円柱状の突起５１が設けられている。突起５１は、フード部２７の横方向の一方の面に２つ他方の面に２つの計４つ設けられている。各突起５１は、フード部２７の横方向の両面から突出している。フード部２７の横方向の一方の面に設けられている２つの突起５１は、縦方向の中間部で、縦方向で所定の間隔をあけて設けられている。
【００４５】
また、フード部２７の横方向の一方の面に設けられている２つの突起５１は、高さ方向の中間部でお互いが同じところに位置している。フード部２７の横方向の他方の面に設けられている２つの突起５１は、フード部２７の横方向の一方の面に設けられている２つの突起５１と同様に設けられている。詳しくは後述するが、これらの突起５１によって、オスコネクタ１３がスライダ５に係合するようになっている。
【００４６】
メスコネクタ３のメスコネクタハウジング７は、ハウジング本体部１５とスライダガイド部形成部１７とを備えて構成されており、ハウジング本体部１５は直方体状の中央部１９と、中央部１９を囲む矩形な筒状の外側部２１とを備えて構成されている。メス端子１１は、縦方向および横方向で所定の間隔をあけて中央部１９に複数設けられている。
【００４７】
そして、メスコネクタ３にオスコネクタ１３が嵌合されたときに、フード部２７がメスコネクタ３の中央部１９と外側部２１との間に入り込み、メス端子１１のそれぞれとオス端子２５のそれぞれとが、お互いに接続されるようになっている。
【００４８】
外側部２１には、この下端から高さ方向の上方の向かって延びている切り欠き（図示せず）が形成されており、メスコネクタ３にオスコネクタ１３を嵌合するとき、オスコネクタ１３のオスコネクタハウジング２３に設けられている突起５１が、上記切り欠きを貫通してスライダガイド部９内に突出するようになっている。
【００４９】
また、スライダガイド部形成部１７は、連結部３９によってハウジング本体部１５に一体的に設けられているが、連結部３９は、ハウジング本体部１５の下端部で縦方向のほぼ全長にわたって設けられているとともに、ハウジング本体部１５の上端部で縦方向の一端部に設けられている。
【００５０】
第１の当接部３５は、図８等で示すように、底面が１つの角が直角である三角形状に形成された背の低い三角柱状の突起４７で形成されている。なお、上記１つの角は、必ずしも９０°である必要はなく、直角に近い鋭角（たとえば７５°の角）〜直角に近い鈍角（たとえば１２０°の角）の間の角度（ほぼ直角）であればよい。
【００５１】
突起４７は、縦方向ではスライダガイド部形成部１７の中間部に位置しており、高さ方向では、スライダガイド部形成部１７の上端部に設けられている。
【００５２】
また、第１の当接部３５は、直角の一方の側に位置している側面がスライダガイド部形成部１７の平面に接するようにして、スライダガイド部形成部１７から突出しており、スライダ５の第１の被当接部３１が、第１の当接部３５に当接したときには、直角の他方の側に位置している側面が、スライダ５の第１の被当接部３１の細長い凹部４１の端部４３に当接するようになっている（図９参照）。
【００５３】
第２の当接部３７は、図８等で示すように、底面が１つの角が鈍角である二等辺三角形状に形成された背の低い三角柱状の突起４９で形成されている。
【００５４】
突起４９は、突起４７と同様にして、縦方向では、メスコネクタハウジング７のハウジング本体部１５（外側部２１）の中間部に位置しており、高さ方向では、メスコネクタハウジング７のハウジング本体部１５の上端部に設けられている。横方向から見ると、突起４７の少なくとも一部と突起４９の少なくとも一部とがお互いに重なっている。
【００５５】
また、第２の当接部３７は、鈍角と対向している側面がメスコネクタハウジング７のハウジング本体部１５の平面に接するようにして、ハウジング本体部１５から突出している。
【００５６】
なお、テーパ部が形成されていることでスライダ５をハウジング本体部１５側に確実に押し付けることができるのであれば、突起４９を他の形状にしてもよい。たとえば、突起４９を、底面が二等辺三角形以外の三角形状（たとえば、直角形状）に形成された背の低い三角柱状に形成してもよいし、さらに、突起４９を、底面が弓形に形成された背の低い弓柱状に形成してもよい。
【００５７】
突起４９を底面が直角形状に形成された背の低い三角柱状に形成した場合、直角三角形の斜辺が、スライダガイド部形成部１７の平面に接することが望ましい。また、突起４９を、底面が弓形に形成された背の低い弓柱状に形成した場合、弓形の弦が、スライダガイド部形成部１７の平面に接することが望ましい。
【００５８】
スライダ５は、図４、図５等で示すように、矩形な平板状のスライダ本体部５３と持ち手部５５とを備えて構成されている。なお、持ち手部５５は、スライダ本体部５３の縦方向の中間部でスライダ本体部５３の上端から突出している。また、持ち手部５５の厚さ（横方向の寸法）とスライダ本体部５３の厚さ（横方向の寸法）とはお互いが等しくなっている。
【００５９】
スライダ本体部５３には、ガイド溝５７が形成されている。ガイド溝５７は、高さ方向ではスライダ本体部５３の上方で、縦方向ではスライダ本体部５３の全長にわたって設けられている。さらに、ガイド溝５７は、スライダ本体部５３厚さ方向の両面に設けられている。
【００６０】
スライダ５がスライダガイド部９に挿入されたとき、メスコネクタハウジング７に設けられている突起５８（図１参照）が、ガイド溝５７に入り込むようにして、スライダ５がスライダガイド部９に係合し、スライダ５がメスコネクタ３に対して縦方向にのみ移動するようになっている。
【００６１】
凹部４１は持ち手部５５の基端部に設けられている。また、凹部４１は縦方向に延びており、縦方向の一端が開口しており、縦方向の他端部４３が止まっている。また、凹部４１は、持ち手部５５の厚さ方向の一方の面にのみ設けられているが、凹部４１が持ち手部５５の厚さ方向の両面に設けられていてもよい。この場合、凹部４１の周辺近傍の部位が、第２の被当接部３３を構成し、第２の当接部３７（突起４９）は、凹部４１の周辺近傍の部位に当接するようになっている。
【００６２】
また、スライダ本体部５３には、オスコネクタ１３の突起５１が入り込む斜め方向に延びた２つのガイド溝（切り欠き）５９が形成されている。ガイド溝（カム溝）５９とオスコネクタ１３の突起５１とによって、オスコネクタ１３がスライダ５に係合するようになっている。
【００６３】
また、メスコネクタ３では、横方向の両端部のそれぞれに、スライダガイド部形成部１７が設けられていることで、一対のスライダガイド部９が形成されており、この一対のスライダガイド部９のそれぞれに、一対のスライダ５のそれぞれが入り込み、１つのメスコネクタ３および１つのオスコネクタ１３に、２つのスライダ５が係合するようになっている。
【００６４】
さらに説明すると、メスコネクタ３の横方向の一方の側に形成されているスライダガイド部９に１つのスライダ５が入り込んで係合し、このスライダ５の２つのガイド溝５９のそれぞれに、オスコネクタ１３の横方向の一方の側で突出している２つの突起５１のそれぞれが入り込み、また、メスコネクタ３の横方向の他方の側に形成されているスライダガイド部９に他の１つのスライダ５が入り込んで係合し、このスライダ５の２つのガイド溝５９のそれぞれに、オスコネクタ１３の横方向の他方の側で突出している２つの突起５１のそれぞれが入り込むようになっている。
【００６５】
次に、メスコネクタ３へのオスコネクタ１３の嵌合（接続）について説明する。
【００６６】
初期状態として、メスコネクタ３、スライダ５、オスコネクタ１３は、図１で示すように、お互いが離れているものとする。
【００６７】
上記初期状態から、メスコネクタ３に２つのスライダ５を設置する。この設置は、スライダガイド部９にスライダ５を挿入し、スライダ５をメスコネクタ３に対して縦方向の他端側から一端側に移動することでなされる。上記移動は、第１の被当接部３１（凹部４１の端部４３）が、第１の当接部３５（突起４７）に当接するまでなされる。
【００６８】
なお、第１の被当接部３１が第１の当接部３５に当接する直前の状態（凹部４１に突起４７が入り込んだときの状態もしくは凹部４１に突起４７が入り込んだときの直後の状態）から第１の被当接部３１が第１の当接部３５に当接するまでの間で、第２の被当接部３３（持ち手部５５の部位４５）が第２の当接部３７（突起４９）に当接し、スライダ５が、コネクタ３の横方向外側（スライダガイド部形成部１７）側に押される（図９参照）。これにより、第１の被当接部３１の第１の当接部３５への当接が補助され、剛性の小さい平板状のスライダガイド部形成部１７が図１０に二点鎖線で示すように外側に撓んでも、第１の被当接部３１を第１の当接部３５に当接させることができる。
【００６９】
続いて、第１の被当接部３１が第１の当接部３５に当接している状態では、図２で示すように、スライダ５の斜めに形成されている２つのガイド溝５９それぞれの開口部の真下に、オスコネクタ１３の２つの突起５１のそれぞれが位置した嵌合準備状態になる。図２に示す状態で、オスコネクタ１３を上方に移動すると、スライダ５の斜めに形成されている２つのガイド溝５９それぞれの開口部のところに、オスコネクタ１３の２つの突起５１のそれぞれが入る。
【００７０】
続いて、スライダ５を、縦方向で一端側から他端側に向かう方向（第１の被当接部３１が第１の当接部３５から離れる方向；図２では右側）に移動することで、オスコネクタ１３の突起５１がスライダ５のガイド溝５９によって上方に移動し、オスコネクタ１３がメスコネクタ３に嵌合される。
【００７１】
なお、スライダ５の移動は、指もしくはレバー（図示せず）を動かすことでなされるように構成されている。レバーは、第１の部材とこの第１の部材に係合している第２の部材とで構成されており、第１の部材がコネクタ３に係合し第２の部材がスライダ５に係合するようになっている。そして、コネクタ３とスライダ５とレバー（第１の部材、第２の部材）とで、四節連鎖の限定連鎖が形成され、たとえば、第１の部材をコネクタ３に対して回動させることで、スライダ５が直線移動するようになっている。
【００７２】
また、メスコネクタ３からのオスコネクタ１３の離脱は、上述した操作と逆の操作をすることでなされる。また、メスコネクタユニット１において、第１の当接部３５を凹部で構成し、第１の被当接部３１を突起で構成し、第２の当接部を凹部で構成し、第２の被当接部を突起で構成してもよい。
【００７３】
メスコネクタユニット１によれば、第１の被当接部３１が第１の当接部３５に当接するときに、第２の当接部３７が第２の被当接部３３に当接することで、第１の被当接部３１を第１の当接部３５側へ付勢して僅かに移動させ、第１の被当接部３１の第１の当接部３５への当接を補助するように構成されているので、メスコネクタハウジング７のスライダガイド部９等の剛性が低くても、スライダ５の位置の検出精度が向上し第１の被当接部３１を第１の当接部３５に確実に当接させることができ、メスコネクタ３に対するスライダ５の位置決めを確実にすることができる。
【００７４】
また、メスコネクタユニット１によれば、スライダガイド部９が、ハウジング本体部１５と薄い板状のスライダガイド部形成部１７との間の平板状の間隙によって形成されており、第１の当接部３５がスライダガイド部形成部１７に設けられており、第２の当接部３７がハウジング本体部１５に設けられており、第２の被当接部３３が第２の当接部３７に当接することで、スライダ５がスライダガイド部形成部１７側に押され、第１の被当接部３１の第１の当接部３５への当接を補助するように構成されているので、メスコネクタ３を小型化すべくスライダガイド部形成部１７を薄い板状に形成したことでスライダガイド部形成部１７の剛性が低くなりスライダガイド部９を構成する間隙の幅（厚さ）が広がってしまっても、第１の被当接部３１を第１の当接部３５に確実に当接させることができる。
【００７５】
また、メスコネクタユニット１によれば、第１の被当接部３１が長手方向の一方の端部が開口し長手方向の他方の端部が止まっていてスライダ５の厚さ方向の一方の面に形成されている細長い凹部４１の他方の端部で構成されており、第２の被当接部３３がスライダ５の厚さ方向の他の面の、細長い凹部４１の反対側に位置する部位４５で構成されており、第１の当接部３５がスライダガイド部形成部１７に設けられた突起４７で構成されており、第２の当接部３７が、ハウジング本体部１５に設けられた突起４９で構成されているので、簡素な構成で第１の被当接部３１を第１の当接部３５に確実に当接させることができる。
【００７６】
なお、持ち手部５５の部位４５と突起４９とを逆に設けた構成であってもよい。すなわち、持ち手部５５の部位４５のところに突起４９を設け、突起４９のところを部位４５に相当する部位としてもよい。
【００７７】
また、凹部４１と突起４７とを逆に設けた構成であってもよい。すなわち、凹部４１のところに突起４７を設け、突起４７（スライダガイド部形成部１７）のところに凹部４１を設けた構成であってもよい。
【００７８】
また、部位４５と凹部４１、突起４９と突起４７をそれぞれ逆に設けた構成であってもよい。
【００７９】
さらに、上記説明では、図８や図９で示すように、縦方向で突起４７と突起４９とがお互いに同じところに位置しているが、スダイダ５が移動して凹部４１が突起４７に当接すまでの間に、部位４５が突起４９に当接する位置関係となるのであれば、突起４７の位置と突起４９の位置とがお互いに一致していなくてずれていてもよい。
【符号の説明】
【００８０】
１  コネクタユニット
３  コネクタ
５  スライダ
７  ハウジング
９  スライダガイド部
１１  端子
１３  相手側コネクタ
１５  ハウジング本体部
１７  スライダガイド部形成部
３１  第１の被当接部
３３  第２の被当接部
３５  第１の当接部
３７  第２の当接部
４１凹部
４３  端部
４７、４９  突起
【図１】
0006559475.tif 000002
【図２】
0006559475.tif 000003
【図３】
0006559475.tif 000004
【図４】
0006559475.tif 000005
【図５】
0006559475.tif 000006
【図６】
0006559475.tif 000007
【図７】
0006559475.tif 000008
【図８】
0006559475.tif 000009
【図９】
0006559475.tif 000010
【図１０】
0006559475.tif 000011
【図１１】
0006559475.tif 000012